(57)【特許請求の範囲】
【請求項１】
ワイヤを格子状に接合させて成る方形ワイヤパネルをジョイントにより連結するジョイント構造及びこれを使用した収納体であって、
前記方形ワイヤパネルは、垂直杆と水平杆とで形成される四隅が切り欠かれた外枠内に横桟杆と縦桟杆が格子状に溶着され、水平杆と垂直杆の端部が方形ワイヤパネルの隅方向に突出して形成され、
前記ジョイントは、前記垂直杆の端部を受ける垂直受け手と、前記水平杆の端部を受ける第１の水平受け手と、該第１の水平受け手と直交する第２の水平受け手とを備えた受け部材と、第１および第２の水平受け手に支持された水平杆の移動を規制するよう受け部材に取り付けられる押さえ部材とから構成され、
前記垂直受け手は連結されるワイヤパネルの隣接する２本の垂直杆端部を支持するための受け穴が設けられ、前記第１および第２の水平受け手はそれぞれ水平杆端部を受けるための垂直受け手側に開放した溝を備え、垂直受け手と第１および第２の水平受け手とは垂直杆端部及び水平杆端部の位置と合致するよう設けられ、
前記各受け手に設けられる受け穴および溝に垂直杆と水平杆の端部をそれぞれはめ込み、受け部材と押さえ部材とで水平杆の端部を挟持され連結されることを特徴とするワイヤパネルのジョイント構造及びこれを使用した収納体。
【発明の詳細な説明】
【０００１】
【産業上の利用分野】
本発明は、複数の方形ワイヤパネルを立体的に組み立てるジョイント構造及びこれを使用した収納体に関するものである。
【０００２】
【従来の技術】
従来より、整理棚や整理箱等の収納体を組み立てるべく複数の方形ワイヤパネルをジョイントで連結するジョイント構造が知られている。例えば実登３０３９５６９号では、直交する方向に開口する溝を有するジョイントに方形ワイヤパネルの枠角部をはめ込むだけで簡単に方形ワイヤパネルを連結でき、迅速に整理棚や整理箱を組み立てることができる。
【０００３】
しかしながら、上記従来のものは、方形ワイヤパネルの枠角部をジョイントの溝に弾性的に係合しているだけであるため、これにより組み立てられた整理棚や整理箱は、耐荷重性に乏しく重量物を収納するとジョイントから方形ワイヤパネルが外れて分解してしまうという問題があった。また、従来のワイヤパネルはループ状の方形枠の同一面上に無理してワイヤを格子状に溶着してあるため、縦と横のワイヤの重なり部分で歪みが生じ側方から見るとワイヤパネルが反った形になってしまい、整理棚等を組み立てたときに外観が劣るばかりか連結部分に十分な強度が得られないという問題があった。
【０００４】
【発明が解決しようとする課題】
本発明が解決すべき課題は、前記のような問題点を解消できるワイヤパネルのジョイント構造及びこれを使用した収納体を提供することにある。
【０００５】
【課題を解決するための手段】
前記課題を解決するために本発明は、ワイヤを格子状に接合させて成る方形ワイヤパネルをジョイントにより連結するジョイント構造及びこれを使用した収納体であって、前記方形ワイヤパネルは、垂直杆と水平杆とで形成される四隅が切り欠かれた外枠内に横桟杆と縦桟杆が格子状に溶着され、水平杆と垂直杆の端部が方形ワイヤパネルの隅方向に突出して形成され、前記ジョイントは、前記垂直杆の端部を受ける垂直受け手と、前記水平杆の端部を受ける第１の水平受け手と、該第１の水平受け手と直交する第２の水平受け手とを備えた受け部材と、第１および第２の水平受け手に支持された水平杆の移動を規制するよう受け部材に取り付けられる押さえ部材とから構成され、前記垂直受け手は連結されるワイヤパネルの隣接する２本の垂直杆端部を支持するための受け穴が設けられ、前記第１および第２の水平受け手はそれぞれ水平杆端部を受けるための垂直受け手側に開放した溝を備え、垂直受け手と第１および第２の水平受け手とは垂直杆端部及び水平杆端部の位置と合致するよう設けられ、前記各受け手に設けられる受け穴および溝に垂直杆と水平杆の端部をそれぞれはめ込み、受け部材と押さえ部材とで水平杆の端部を挟持し連結する。
【００１０】
【作用】
本発明では、方形ワイヤパネルの四隅を切り欠くことによって生じる水平杆端部と垂直杆端部のずれを、このずれと同様の配置に設けられた受け部を備えるジョイントで支持することによって、ワイヤパネルを変形させることなく連結する。
【００１１】
また、垂直受け手に垂直杆端部をはめ込み、水平受け手に水平杆をはめ込んでから、押さえ部材で垂直杆又は水平杆が移動しないように固定する。
【００１４】
さらに、収納体を組み立てるべくワイヤパネルを配置し、その各角部において隣接する水平杆及び垂直杆の端部を単一のジョイントで支持する。
【００１５】
【実施例】
以下、図面を基に本発明の一実施例について説明する。図１及び図２は本発明の一実施例による方形ワイヤパネルを示す正面図と側面図である。
【００１６】
方形ワイヤパネル１は、垂直杆２と水平杆３とで形成される外枠内に横桟杆４と縦桟杆５が格子状に溶着されたものであり、図１に示すように四隅が切り欠かれ、垂直杆２と水平杆３の端部が方形ワイヤパネル１の隅部に向かって突出している。また、方形ワイヤパネル１の側面形状は、図２に示すように、垂直杆２と水平杆３とは同一平面上に位置せず横桟杆４あるいは縦桟杆５の径Ｒの分だけずれて配置されている。
【００１７】
図３及び図４は前記方形ワイヤパネル１同士を連結するジョイントを示し、それぞれ方形ワイヤパネル２枚用ジョイント６及び方形ワイヤパネル３枚用ジョイント７を表している。ジョンイント６，７は受け部材８と押さえ部材９とから成り、受け部材８は方形ワイヤパネル１の隅部に取り付けられ、方形ワイヤパネル１の垂直杆２端部を受ける垂直受け手１０及び水平杆３の端部を受ける第１の水平受け手１１と第２の水平受け手１２が三方に設けられている。前記垂直受け手１０は２本の垂直杆２を支持する受け部である受け穴１３・１３が設けられており、隣り合う方形ワイヤパネル１の垂直杆２を１本ずつ受けることができる。また、第１の水平受け手１１と第２の水平受け手１２は方形ワイヤパネル１の水平杆３の端部を受けるもので、前記垂直受け手１０の設けられた方向に開放する溝１４を有し、この受け部にあたる溝１４に水平杆３端部をはめ込むことにより連結時の方形ワイヤパネル１の位置決めを行う。さらに、方形ワイヤパネル３枚用ジョイント７では、第１の水平受け手１１と第２の水平受け手１２の間に扇形の受け板１５が形成される。
【００１８】
図５及び図６は受け部材８の正面図と底面図である。受け部材８に設けられる受け穴１３と溝１４とは、同一方形ワイヤパネル１の垂直杆２と水平杆３の端部が無理なく確実にはまりこむ位置関係に配設される。方形ワイヤパネル１の垂直杆２と水平杆３は横桟杆４あるいは縦桟杆５の径Ｒの分だけずれて位置し全ての杆が同一平面上にないため、図６のように、この垂直杆２と水平杆３のずれと同様の配置に受け穴１３と溝１４が形成され、受け穴１３の形成された方向と溝１４の形成された方向の延長線は交差しないようになっている。これにより、方形ワイヤパネル１は連結部分で歪むことなく組み立てられる。
【００１９】
押さえ部材９は、受け部材８にはめ込まれた方形ワイヤパネル１の端部を挟み込むようにして受け部材８と結合され、方形ワイヤパネル１の移動を規制する。方形ワイヤパネル２枚用のジョイント６の場合、押さえ部材９は、図３のように受け部材８の垂直受け手１０側面に取り付けられる。このとき押さえ部材９は、水平受け手１１，１２に設けられている溝１４の一部又は全部を覆う形状である。また、方形ワイヤパネル３枚用のジョイント７の場合、押さえ部材は図４のように水平受け手１１，１２に設けられた溝１４と受け板１５を同時に覆う形状である。
【００２０】
図７は本発明の一実施例による収納体の斜視図である。この収納体１６の組立に際しては、先ず、収納体１６の側壁を形成する４枚の方形ワイヤパネル１を箱形に配置し、各角部に受け部材８を取り付ける。受け部材８の受け穴１３・１３に隣接する方形ワイヤパネル１の垂直杆２端部を差し込み、溝１４に水平杆３の端部をはめ合わせて、方形ワイヤパネル１の位置決めをする。また、収納体本体１６の底部分のように側面パネルと下面パネルの３枚の方形ワイヤパネル１を同時に連結する角部分では、水平受け手１１，１２間に受け板１５を有するジョイント７を用い、受け板１５上に下面パネル１’の隅部を載置する。次に、各受け部材８に押さえ部材９をネジ止めにより取り付ける。方形ワイヤパネル２枚用のジョイント６の押さえ部材９は水平受け手１１，１２の溝１４を覆って溝１４にはまり込んだ水平杆３端部を受け部材８と押さえ部材９の間に挟んで上下の移動や水平方向への回動を規制する。かつ、垂直杆２端部は受け穴１３にしっかり保持されるため方形ワイヤパネル１が横方向へ移動してしまうことがない。また、方形ワイヤパネル３枚用のジョイント７の押さえ部材９は、受け板１５にネジ止め固定されたときに水平受け手１１，１２の溝１４と受け板１５を覆う形状であるので、溝１４にはめ込まれた水平杆３端部と同時に底板となる方形ワイヤパネル１の隅部を挟持し３枚の方形ワイヤパネルを一度に連結する。また、底板を構成する方形ワイヤパネルを連結するジョイント９の受け板１５の外側にキャスタ１７を取り付けて移動自在な収納体を組み立てることができる。以上のようにして複数の方形ワイヤパネル１を連結し、収納体１６を組み立てる。
【００２１】
【発明の効果】
以上のように本発明は、四隅を切り欠かれた反りや歪みのないワイヤパネルを使用することにより、ワイヤパネルの連結部分に無理な力がかからないため、連結部分で歪みが生ぜず、これにより組み立てられた収納体は体裁外観がよい。また、受け部材に設けられた受け部にワイヤパネル端部をはめこむだけで簡単に位置決めできるので、ワイヤパネルの連結、組み立て作業が容易である。また、受け部材と押さえ部材とでワイヤパネル隅部を挟持し、ワイヤパネル同士を確実強固に連結するので、連結部分の強度が高く、これを使用してなる収納体は耐荷重性に優れる。また、１つのジョイントに外枠端部を受ける受け手と共に受け板を設けたので、部品点数を増やすことなく側面パネルと底面パネルを同時に１つのジョイントで結合でき、たいへん効率がよい。また、ジョイントにキャスタを取付可能としたので、部品点数を増やすことなく収納体の使用状況にあわせて簡単にキャスタを取り付けることができる。さらに、収納体の下面パネルがジョイントに形成された受け板で支持されるので、下方向への加重に対する強度が高く、重量物を収納することが可能である。
【図面の簡単な説明】
【図１】本発明の一実施例による方形ワイヤパネルの正面図である。
【図２】本発明の一実施例による方形ワイヤパネルの側面図である。
【図３】本発明の一実施例による方形ワイヤパネル２枚用のジョイントの斜視図である。
【図４】本発明の一実施例による方形ワイヤパネル３枚用のジョイントの斜視図である。
【図５】本発明の一実施例による受け部材の正面図である。
【図６】本発明の一実施例による受け部材の底面図である。
【図７】本発明の一実施例による収納体の斜視図である。
【符号の説明】
１  方形ワイヤパネル
２  垂直杆
３  水平杆
４  横桟杆
５  縦桟杆
６，７  ジョイント
８  受け部材
９  押さえ部材
１０  垂直受け手
１１  第１の水平受け手
１２  第２の水平受け手
１３  受け穴
１４  溝
１５  受け板
１６  収納体
１７  キャスタ
【図１】
0004315506.tif 000002
【図２】
0004315506.tif 000003
【図３】
0004315506.tif 000004
【図４】
0004315506.tif 000005
【図５】
0004315506.tif 000006
【図６】
0004315506.tif 000007
【図７】
0004315506.tif 000008